(57)【要約】【課題】フェライトコアの状態の確認を容易にしつつ、電線の振動がフェライトコアへ伝わることを抑制する。【解決手段】本明細書によって開示されるコネクタは、電線Ｗの端末に取り付けられるコネクタ１０であって、電線Ｗの端部を収容するインナハウジング２０と、インナハウジング２０を覆うシールドシェル４０と、電線Ｗを外側から覆うようにしてシールドシェル４０の外周に配されるフェライトコア６０と、シールドシェル４０に組み付け可能に設けられ、シールドシェル４０に組み付けられた状態では、シールドシェル４０と共にフェライトコア６０を保持するカバー部材７０とを備える構成とした。【選択図】図４
2017050137.tif 000002
【特許請求の範囲】
【請求項１】
電線の端末に取り付けられるコネクタであって、
前記電線の端部を収容するハウジングと、
前記電線を外側から覆うようにして前記電線の外周に配されるフェライトコアと、
前記ハウジングに組み付け可能に設けられ、前記ハウジングに組み付けられた状態では、前記ハウジングと共に前記フェライトコアを保持するカバー部材とを備えるコネクタ。
【請求項２】
前記ハウジングは、合成樹脂製のインナハウジングと、前記インナハウジングの外側に配されるようにして前記インナハウジングに組み付けられる金属製のアウタハウジングとを備えており、
前記フェライトコアは、前記アウタハウジングに設けられたハウジング側保持部と、前記カバー部材に設けられたカバー側保持部とによって前記電線の延び方向である前後方向両側から挟み込まれるようにして保持されている請求項１に記載のコネクタ。
【請求項３】
前記フェライトコアは、前記電線を全周に亘って覆うことが可能な円筒状に形成されており、
前記ハウジング側保持部は、前記フェライトコアの前部を収容可能に形成され、前記カバー側保持部は、前記フェライトコアの後部を収容可能に形成されており、
前記カバー側保持部は、前記ハウジング側保持部と前記フェライトコアとの間に生じる径方向の隙間を埋めるがた詰め部を有している請求項２に記載のコネクタ。
【発明の詳細な説明】
【技術分野】
【０００１】
本明細書によって開示される技術は、フェライトコアを有するコネクタに関する。
【背景技術】
【０００２】
例えば、フェライトコアを有するコネクタとして、特開２０１５−３２５６０号公報（下記特許文献１）に記載のものが知られている。このコネクタは、電線の端末に接続される端子金具と、端子金具と共に電線を収容するコネクタハウジングと、電線とコネクタハウジングとの間をシールする一括ゴム栓と、一括ゴム栓に埋設されたフェライトコアとを備えて構成されている。一括ゴム栓には、電線が挿通されており、一括ゴム栓に挿通された電線の高周波領域におけるノイズが、フェライトコアによって除去されるようになっている。
【先行技術文献】
【特許文献】
【０００３】
【特許文献１】特開２０１５−３２５６０号公報
【発明の概要】
【発明が解決しようとする課題】
【０００４】
ところで、上記のコネクタによると、フェライトコアが埋設された一括ゴム栓をインサート成形する際に、射出圧などによってフェライトコアが破損する場合がある。しかしながら、フェライトコアは一括ゴム栓に埋設されているため、フェライトコアの状態を外側から目視によって確認することができず、また、フェライトコアのみを簡易に交換することもできない。さらに、フェライトコアは、電線が挿通される一括ゴム栓に埋設されているため、フェライトコアが電線の振動の影響を受けやすくフェライトコアに不具合が生じる虞がある。
【０００５】
本明細書では、フェライトコアの状態の確認を容易にしつつ、電線の振動がフェライトコアへ伝わることを抑制する技術を開示する。
【課題を解決するための手段】
【０００６】
本明細書によって開示される技術は、電線の端末に取り付けられるコネクタであって、前記電線の端部を収容するハウジングと、前記電線を外側から覆うようにして前記電線の外周に配されるフェライトコアと、前記ハウジングに組み付け可能に設けられ、前記ハウジングに組み付けられた状態では、前記ハウジングと共に前記フェライトコアを保持するカバー部材とを備える構成とした。
【０００７】
このような構成のコネクタによると、ハウジングに対してカバー部材を組み付けることで、フェライトコアがハウジングとカバー部材とによって保持されるから、カバー部材を組み付ける前にフェライトコアの状態を容易に確認することができる。
また、電線を収容するハウジングと、そのハウジングに組み付けられるカバー部材とによってフェライトコアが保持されており、電線からフェライトコアまでの距離を離すことができるから、例えば、電線に密着するゴム栓などによってフェライトコアが保持されている場合に比べて、電線からの振動がフェライトコアに伝わりにくくなり、フェライトコアに対する電線の振動の影響を抑制することができる。
【０００８】
本明細書によって開示されるコネクタは、以下の構成としてもよい。
前記ハウジングは、合成樹脂製のインナハウジングと、前記インナハウジングの外側に配されるようにして前記インナハウジングに組み付けられる金属製のアウタハウジングとを備えており、前記フェライトコアは、前記アウタハウジングに設けられたハウジング側保持部と、前記カバー部材に設けられたカバー側保持部とによって前記電線の延び方向である前後方向両側から挟み込まれるようにして保持されている構成にしてもよい。
【０００９】
このような構成によると、電線を収容するインナハウジングの外側に組み付けられるアウタハウジングのハウジング側保持部と、カバー部材のカバー側保持部とによってフェライトコアが前後方向の両側から挟み込まれるようにして保持されているから、例えば、フェライトコアがインナハウジングに保持されている場合にに比べて、電線とフェライトコアとの距離をさらに大きくすることができ、電線の振動がフェライトコアに与える影響を抑制することができる。
また、フェライトコアがハウジング側保持部とカバー側保持部との間で前後方向にがたつくことに起因して破損することを抑制することができる。
【００１０】
前記フェライトコアは、前記電線を全周に亘って覆うことが可能な円筒状に形成されており、前記ハウジング側保持部は、前記フェライトコアの前部を収容可能に形成され、前記カバー側保持部は、前記フェライトコアの後部を収容可能に形成されており、前記カバー側保持部は、前記ハウジング側保持部と前記フェライトコアとの間に生じる径方向の隙間を埋めるがた詰め部を有している構成としてもよい。
このような構成によると、フェライトコアがハウジング側保持部内において径方向にがたついて破損することを抑制することができる。
【発明の効果】
【００１１】
本明細書によって開示される技術によれば、フェライトコアの状態の確認を容易にしつつ、電線の振動がフェライトコアへ伝わることを抑制することができる。
【図面の簡単な説明】
【００１２】
【図１】コネクタの平面図
【図２】同側面図
【図３】同背面図
【図４】図３のＡ−Ａ線断面図
【図５】カバー部材の背面図
【図６】フェライトコアの背面図
【図７】シールドシェルの背面図
【図８】シールドシェルとフェライトコアとカバー部材とを互いに組み付ける前の状態を示す断面図であって、図４の断面に相当する断面図
【図９】シールドシェルとフェライトコアとカバー部材とを組み付けた状態を示す断面図であって、図８の断面に相当する断面図
【発明を実施するための形態】
【００１３】
＜実施形態＞
本明細書に開示された技術における一実施形態について図１から図９を参照して説明する。
本実施形態は、電線Ｗの端末に取り付けられるコネクタ１０を例示している。なお、以下の説明において、前後方向とは、図１および図２における左右方向を基準とし、図示左方を前方、図示右方を後方として説明する。
【００１４】
コネクタ１０は、図１から図４に示すように、前後方向に長い合成樹脂製のインナハウジング２０と、インナハウジング２０を覆う金属製のシールドシェル（「アウタハウジング」の一例）４０とを備えて構成されている。なお、インナハウジング２０とシールドシェル４０とを合わせたものが、ハウジングに相当する。
【００１５】
インナハウジング２０は、図３に示すように、横方向にやや幅広な略円柱状に形成されており、インナハウジング２０の前後方向略中央部には、図４に示すように、径方向外側に向けて突出するフランジ部２１が全周に亘って周設されている。
フランジ部２１の上下方向両側には、後方に向けて延びる一対の弾性片２２が設けられており、一対の弾性片２２は、互いに近づく方向に弾性変位可能とされている。インナハウジング２０においてフランジ部２１よりも前側の部分は、図示しない相手方コネクタと嵌合可能な嵌合部２３とされており、嵌合部２３内には、電線Ｗの端末に接続された一対の端子（図示せず）が横方向に並んで保持されている。
【００１６】
嵌合部２３の外周面における前後方向略中央部には、シールリング２４が嵌着されており、嵌合部２３が相手方コネクタと嵌合すると、シールリング２４と相手方コネクタとが全周に亘って密着し、嵌合部２３と相手方コネクタとの間がシールされるようになっている。
【００１７】
一方、インナハウジング２０においてフランジ部２１よりも後側の部分は、図４に示すように、電線収容部２５とされている。電線収容部２５内には、一対の端子から後方に延びる電線Ｗの端部が横方向に並んで収容されており、一対の電線Ｗは、電線収容部２５内を電線Ｗの延び方向である前後方向に挿通された後、電線収容部２５から後方に引き出されている。
【００１８】
電線収容部２５の後端部には、リテーナ２６によって後方への抜け止めがされたゴムリング（図示せず）が電線Ｗに外嵌された状態で装着されており、ゴムリングが電線収容部２５の内周面に密着することで電線収容部２５からの水等の浸入が防がれている。また、リテーナ２６が電線収容部２５に装着されると、図４に示すように、リテーナ２６に設けられた一対の撓み規制部２７が、インナハウジング２０における弾性片２２の撓み空間２８にそれぞれ進入し、各弾性片２２の弾性変位が規制される。
【００１９】
シールドシェル４０は、図４、図８および図９に示すように、アルミダイキャストによってほぼ均一の厚さ寸法に形成されており、図７に示すように、横方向に幅広な略円筒状をなしている。また、シールドシェル４０は、図４、図８および図９に示すように、前後方向略中央部よりも後側に設けられた小径部４１が前部に設けられた大径部４２よりも小径に形成されており、シールドシェル４０内における大径部４２と小径部４１との境界部分には、前方に向かって臨む段差面４３が全周に亘って形成されている。
【００２０】
シールドシェル４０内には、インナハウジング２０が前方から収容可能とされており、インナハウジング２０がシールドシェル４０内における正規の位置まで収容されると、図４に示すように、インナハウジング２０のフランジ部２１がシールドシェル４０の段差面４３に前方から当接すると共に、インナハウジング２０の弾性片２２がシールドシェル４０の小径部４１を後方から係止した状態となる。これにより、シールドシェル４０がインナハウジング２０に抜け止めされた状態で保持される。
【００２１】
また、インナハウジング２０がシールドシェル４０内における正規の位置まで収容されると、シールドシェル４０の大径部４２から嵌合部２３の前半分が前方に突出した状態になると共に、シールドシェル４０の小径部４１から電線収容部２５の後半分が後方に突出した状態となる。
【００２２】
シールドシェル４０の上部には、図７に示すように、背面視略三角状の台座部４４が上方に突出した形態で設けられている。この台座部４４には、図１、図２および図４に示すように、嵌合用ボルトＢが台座部４４を前後方向に貫通した状態で保持されており、この嵌合用ボルトＢを相手方コネクタ側に設けられた図示しないボルト孔に締め込むことにより、コネクタ１０と相手方コネクタとを正規に嵌合させることができるようになっている。
【００２３】
さて、シールドシェル４０における小径部４１の外側には、図４に示すように、フェライトコア６０が嵌合され、フェライトコア６０のさらに後方には、フェライトコア６０をシールドシェル４０と共に前後方向両側から挟み込むように合成樹脂製のカバー部材７０がシールドシェル４０に対して組み付けられている。
【００２４】
詳細には、フェライトコア６０は、図６に示すように、小径部４１よりもやや肉厚で横方向に幅広な略円筒状をなしており、フェライトコア６０の内周形状は、図４、図８および図９に示すように、小径部４１の外周形状とほぼ同一に設定されている。また、フェライトコア６０の前後方向の長さ寸法は、小径部４１の前後方向の長さ寸法よりも長く設定されている。
【００２５】
したがって、小径部４１の外側にフェライトコア６０が嵌合すると、小径部４１の外周面とフェライトコア６０の内周面との間に僅かなクリアランスを有しつつ、小径部４１と、小径部４１から後方に突出した電線収容部２５とがフェライトコア６０によって全周に亘って覆われるようになっている。
【００２６】
すなわち、フェライトコア６０は、小径部４１内に配された電線収容部２５内の電線Ｗを外側から覆うようにして電線Ｗの外周に全周に亘って配されている。また、フェライトコア６０が小径部４１に嵌合されると、フェライトコア６０の外周面６０Ａとシールドシェル４０における大径部４２の外周面４２Ａとがほぼ同一面上に配される。
【００２７】
一方、シールドシェル４０における小径部４１と大径部４２との境界部分には、径方向外側に向けて突出した後、小径部４１の外面に沿うように後方に向けて延びる外筒部４５が設けられており、この外筒部４５の前後方向の長さ寸法は、小径部４１の前後方向の長さ寸法の半分程度とされている。
そして、外筒部４５と、大径部４２の後端部と、小径部４１とが断面Ｕ字状に連なることにより、前方に向けて凹んだ凹状のシェル側保持部（「ハウジング側保持部」の一例）４６が小径部４１の外周に設けられている。
【００２８】
シェル側保持部４６には、小径部４１に嵌合されたフェライトコア６０の前端部が収容されるようになっており、シェル側保持部４６内における径方向の寸法は、フェライトコア６０の厚み寸法よりも大きく設定されている。
したがって、小径部４１に対してフェライトコア６０が正規に組み付けられると、図４、図８および図９に示すように、シェル側保持部４６の奥壁（大径部４２の後端面）にフェライトコア６０の前端面が後方から当接した状態となって、フェライトコア６０が前止まりされるものの、外筒部４５とフェライトコア６０との間には隙間Ｓが生じるようになっている。
【００２９】
カバー部材７０は、図5に示すように、横方向にやや幅広な略円筒状のカバー本体７１を有しており、カバー本体７１の内周形状は、フェライトコア６０の外周形状とほぼ同一に設定されている。カバー本体７１の後端縁には、図４、図８および図９に示すように、径方向内側に向けて張り出す張出部７２が周設されている。張出部７２は、カバー本体７１と断面Ｌ字状に連なることにより、カバー側保持部７３を構成している。
【００３０】
カバー側保持部７３は、図４および図９に示すように、カバー部材７０がシールドシェル４０に対して正規に組み付けられると、フェライトコア６０の外側に適合して嵌合されることでフェライトコア６０の後部を収容し、カバー側保持部７３の奥壁（張出部７２）はフェライトコア６０の後端面に後方から当接するようになっている。これにより、フェライトコア６０の後方への離脱が規制されている。
【００３１】
また、カバー側保持部７３の前端縁（カバー本体７１の前端縁）には、シールドシェル４０の外筒部４５とフェライトコア６０との間の径方向の隙間Ｓに嵌合可能ながた詰め部７４が設けられている。
【００３２】
がた詰め部７４は、カバー側保持部７３の前端縁部に全周に亘って形成されており、がた詰め部７４の径方向の寸法は、外筒部４５とフェライトコア６０との間の径方向の隙間Ｓの寸法とほぼ同じに設定されている。したがって、カバー部材７０がシールドシェル４０に対して正規に組み付けられると、外筒部４５とフェライトコア６０との間の径方向の隙間Ｓにがた詰め部７４が全周に亘って適合した状態で嵌合し、外筒部４５とフェライトコア６０との間の径方向の隙間Ｓががた詰め部７４によって埋められる。
【００３３】
また、張出部７２の内周縁における横方向両側には、図５、図８および図９に示すように、張出部７２から前方に向けて板状に延びる一対の弾性係止片７５が設けられている。一対の弾性係止片７５は、互いに近づくようにして横方向内側に向かって弾性変位可とされており、各弾性係止片７５には、係止孔７６がそれぞれ設けられている。係止孔７６は、弾性係止片７５を板厚方向に貫通して形成されており、各係止孔７６には、小径部４１の横方向両側内面に突設された係止突部４７がそれぞれ嵌合可能とされている。
【００３４】
また、各弾性係止片７５は、シールドシェル４０に対してカバー部材７０を組み付ける過程において、小径部４１の横方向両側内面に近接して配されるようになっている。カバー部材７０をシールドシェル４０に対して後方から組み付ける過程では、各弾性係止片７５が係止突部４７に乗り上げて弾性変位し、カバー部材７０がシールドシェル４０に対して正規に組み付けられると、図９に示すように、係止突部４７が係止孔７６に嵌合して弾性係止片７５が弾性復帰する。これにより、弾性係止片７５と係止突部４７とが前後方向にそれぞれ係止してカバー部材７０がシールドシェル４０に保持され、フェライトコア６０がシールドシェル４０とカバー部材７０とによって前後方向両側から挟み込まれるようにして保持される。
【００３５】
本実施形態は、以上のような構成であって、続いて、コネクタ１０の組み立て手順の一例を簡単に説明すると共に、その作用および効果について説明する。
【００３６】
まず、シールドシェル４０に対してインナハウジング２０を前方から挿入してインナハウジング２０にシールドシェル４０を組み付ける。この組み付け過程では、インナハウジング２０がシールドシェル４０内における正規の位置まで収容されると、インナハウジング２０のフランジ部２１がシールドシェル４０の段差面４３に前方から当接すると共に、インナハウジング２０の弾性片２２がシールドシェル４０の小径部４１を後方から係止した状態となる。これにより、シールドシェル４０がインナハウジング２０に抜け止めされた状態で保持される。
【００３７】
次に、端子が接続された２本の電線Ｗを、カバー部材７０のカバー本体７１と、フェライトコア６０とに先通しし、各端子を後方からインナハウジング２０に挿入する。これにより、端子がインナハウジング２０の嵌合部２３内において保持され、電線収容部２５内に電線Ｗが収容された状態となる。
【００３８】
端子がインナハウジング２０の嵌合部２３内に保持され、電線Ｗの端部が電線収容部２５内に収容された状態になったところで、電線Ｗに先通ししておいたフェライトコア６０を、シールドシェル４０の小径部４１の外側に嵌合させるように後方から組み付ける。ここで、小径部４１にフェライトコア６０を組み付ける過程では、フェライトコア６０の前端部がシールドシェル４０のシェル側保持部４６内に収容され、フェライトコア６０の前端部がシェル側保持部４６の奥壁（大径部４２の後端面）に後方から当接することで、フェライトコア６０が前止まりされる。
【００３９】
シールドシェル４０へのフェライトコア６０の組み付けが完了したところで、電線Ｗに先通ししておいたカバー部材７０を、フェライトコア６０の外側に嵌合させるようにしてシールドシェル４０に後方から組み付ける。ここで、カバー部材７０の組み付け過程では、カバー部材７０のカバー本体７１がフェライトコア６０の外側に浅く嵌合したところで、一対の弾性係止片７５が小径部４１の係止突部４７に乗り上げる。
【００４０】
そして、カバー本体７１がシールドシェル４０に対して正規に組み付けられると、小径部４１の係止突部４７が弾性係止片７５の係止孔７６に嵌合して弾性係止片７５が弾性復帰し、弾性係止片７５と係止突部４７とが前後方向に係止する。また、カバー部材７０がシールドシェル４０に対して正規に組み付けられると、フェライトコア６０の外側にカバー側保持部７３が適合して嵌合され、カバー側保持部７３の奥壁（張出部７２）がフェライトコア６０の後面に後方から当接する。これにより、フェライトコア６０の後方への離脱が規制され、フェライトコア６０がシールドシェル４０とカバー部材７０とによって前後方向両側から挟み込まれるようにして保持される。
【００４１】
また、カバー部材７０がシールドシェル４０に対して正規に組み付けられると、外筒部４５とフェライトコア６０との間の径方向の隙間Ｓにカバー側保持部７３のがた詰め部７４が全周に亘って適合した状態で嵌合する。これにより、外筒部４５とフェライトコア６０との間の径方向の隙間Ｓががた詰め部７４によって埋められた状態となり、コネクタ１０の組み立てが完了する。また、コネクタ１０の組み立てが完了すると、電線Ｗを外側から覆うようにしてフェライトコア６０が電線Ｗの外側に全周に亘って配され、電線Ｗにおける高周波領域のノイズをフェライトコア６０によって除去することができるようになる。
【００４２】
以上のように、本実施形態のコネクタ１０によると、フェライトコア６０をシールドシェル４０の小径部４１に組み付けた後、シールドシェル４０に対してカバー部材７０を組み付けることで、フェライトコア６０がシールドシェル４０のシェル側保持部４６とカバー部材７０のカバー側保持部７３とによって保持される。すなわち、カバー部材７０を組み付ける前に、フェライトコア６０が破損していないか容易に確認することができる。また、コネクタ１０を組み立てた後に、フェライトコア６０の交換が必要な場合には、カバー部材７０を取り外すことで、フェライトコア６０を容易に交換することができる。したがって、本実施形態は、従来のようにフェライトコアが埋設された一括ゴム栓を用いるものに比べて、取り扱いに優れる。
【００４３】
ところで、本実施形態のように、フェライトコア６０をシールドシェル４０とカバー部材７０とによって保持する場合、シールドシェル４０とカバー部材７０との間においてフェライトコア６０ががたつき、このがたつきに起因してフェライトコア６０が破損することが懸念される。
【００４４】
しかしながら、本実施形態によると、フェライトコア６０は、シールドシェル４０のシェル側保持部４６とカバー部材７０のカバー側保持部７３とによって前後方向両側から挟み込まれるようにして保持されている。また、シェル側保持部４６においては、外筒部４５とフェライトコア６０との間の径方向の隙間Ｓに、カバー側保持部７３のがた詰め部７４が全周に亘って適合した状態で嵌合しており、外筒部４５とフェライトコア６０との間の径方向の隙間Ｓががた詰め部７４によって埋められた状態となっている。すなわち、シールドシェル４０とカバー部材７０との間において、フェライトコア６０が前後方向や径方向にがたつくことが抑制されているから、フェライトコア６０ががたつくことに起因して破損することを抑制することができる。
【００４５】
また、本実施形態によると、電線Ｗを収容する電線収容部２５の外側に配されるシールドシェル４０のシェル側保持部４６と、カバー部材７０のカバー側保持部７３とによってフェライトコア６０が前後方向の両側から挟み込まれるようにして保持されている。つまり、電線Ｗからフェライトコア６０までの距離を大きく取ることができると共に、電線Ｗからの振動がフェライトコア６０に伝わりにくくなるから、例えば、電線に密着する部材にフェライトコアが埋設されている場合に比べて、電線Ｗの振動がフェライトコア６０に与える影響を抑制することができ、電線Ｗ振動が影響することに起因してフェライトコア６０が破損することを抑制することができる。
【００４６】
＜他の実施形態＞
本明細書で開示される技術は上記記述及び図面によって説明した実施形態に限定されるものではなく、例えば次のような種々の態様も含まれる。
（１）上記実施形態では、小径部４１、フェライトコア６０、カバー本体７１を横方向に幅広な略円筒状に構成した。しかしながら、これに限らず、これらの部材を真円筒状や角筒状に構成してもよい。
（２）上記実施形態では、シールドシェル４０とカバー部材７０とによってフェライトコア６０を保持するに構成した。しかしながら、これに限らず、インナハウジングとカバー部材とによってフェライトコアを保持する構成としてもよい。また、インナハウジングとカバー部材とによってフェライトコアを保持することにより、シールドシェルを有さないコネクタに本技術を適用してもよい。
【００４７】
（３）上記実施形態では、シールリング２４およびゴム栓を有する防水機能を有するコネクタ１０を一例として示した。しかしながら、これに限らず、防水機能がないコネクタに本明細書で開示した技術を適用してもよい。
【符号の説明】
【００４８】
１０：コネクタ
２０：インナハウジング（「ハウジング」の一例）
４０：シールドシェル（「ハウジング」、「アウタハウジング」の一例）
４６：シェル側保持部（「ハウジング側保持部」の一例）
６０：フェライトコア
７０：カバー部材
７３：カバー側保持部
７４：がた詰め部
Ｓ：径方向の隙間
Ｗ：電線
【図１】
2017050137.tif 000003
【図２】
2017050137.tif 000004
【図３】
2017050137.tif 000005
【図４】
2017050137.tif 000006
【図５】
2017050137.tif 000007
【図６】
2017050137.tif 000008
【図７】
2017050137.tif 000009
【図８】
2017050137.tif 000010
【図９】
2017050137.tif 000011